(57)【要約】【課題】  パチンコ店などの遊技施設において、非喫煙者と喫煙者の双方が快適に過ごせる空間を提供する。【解決手段】  仕切構造体２０により、遊技機設置島２の正面に位置する島通路７の出入口側を側壁３０で覆うとともに当該島通路７の上側を上壁４０で覆う。仕切構造体２０により島通路７を密閉空間とし、当該密閉空間に空気供給装置５０から空気を供給することが好ましい。空気供給装置５０は、空気を濾過するフィルタ手段、酸素濃度を高める酸素濃縮手段を有し得る。【選択図】  図３
2016022037.tif 000002
【特許請求の範囲】
【請求項１】
遊技機設置島の正面の島通路の出入口側を覆う側壁と、
前記島通路の上側を覆う上壁を有することを特徴とする仕切構造体。
【請求項２】
前記仕切構造体に空気を供給するための空気供給手段を更に有することを特徴とする請求項１に記載の仕切構造体。
【請求項３】
前記空気供給手段が、フィルタ手段を有することを特徴とする請求項２に記載の仕切構造体。
【請求項４】
前記空気供給手段が、空気中の酸素濃度を高める酸素濃縮手段を有することを特徴とする請求項２又は３に記載の仕切構造体。
【請求項５】
前記側壁が、人が通過できる開口を有し、
前記仕切構造体が、前記開口から前記仕切構造体への外気の進入を抑止する閉鎖手段を更に有することを特徴とする請求項１〜４のいずれか一項に記載の仕切構造体。
【請求項６】
前記仕切構造体から空気を排出するための排気手段を更に有することを特徴とする請求項１に記載の仕切構造体。
【請求項７】
遊技機設置島の正面の島通路の両側を覆う側壁と、
前記島通路の上側を覆う上壁を有する仕切構造体と、
前記仕切構造体に空気を供給するための空気供給手段を有することを特徴とする分煙装置。
【発明の詳細な説明】
【技術分野】
【０００１】
本発明は、仕切構造体（例えば、パチンコ店などの遊技施設において、禁煙スペースと喫煙スペースを仕切ることができる仕切構造体）及び仕切構造体を有する分煙装置に関する。
【背景技術】
【０００２】
パチンコ店などの遊技施設では、非喫煙者と喫煙者の双方が快適に過ごせる空間を提供することが望まれている。
【０００３】
特許文献１には、各遊技機の上部に設けられたエアー吹き出し口から、上方に設けられたフードに向けてエアーの流れを生じさせ、発生した煙をそのエアーの流れに乗せて吸引する空気清浄装置が開示されている。
【０００４】
特許文献２には、隣接する遊技台の間に設置することで、喫煙によって発生した煙を遮断する仕切り体が開示されている。
【先行技術文献】
【特許文献】
【０００５】
【特許文献１】特開２０１１−０７２７０７号公報
【特許文献２】特開２０１３−０２２０８４号公報
【発明の概要】
【発明が解決しようとする課題】
【０００６】
特許文献１，２に記載の発明では、喫煙をするための空間が仕切られていないので、店舗内の気流によって周囲に煙が拡散する。よって、非喫煙者は、受動喫煙を免れることはできない。
【０００７】
上記のように、特許文献１，２は、分煙の目的を十分に達成するものではなく、喫煙者及び非喫煙者（特に、非喫煙者）にとって快適な空間を提供するものではなかった。
【０００８】
本願には、複数の発明が開示される。その中には、遊技店舗の利用者（喫煙者及び非喫煙者を含む）に快適な空間を提供する発明、非喫煙者に快適な空間を提供する発明、喫煙者に快適空間を提供する発明、利用者の健康増進を期待できる発明、快適空間、健康増進等に対する期待感を利用者に与えることにより、利用者を遊技店舗に誘引できる発明等が含まれる。
【課題を解決するための手段】
【０００９】
本願には、少なくとも、下記各観点に記載の発明が開示される。
＜観点１＞
遊技機設置島の正面の島通路の出入口側を覆う側壁と、
前記島通路の上側を覆う上壁を有することを特徴とする仕切構造体。
＜観点２＞
前記仕切構造体に空気を供給するための空気供給手段を更に有することを特徴とする観点１に記載の仕切構造体。
＜観点３＞
前記空気供給手段が、フィルタ手段を有することを特徴とする観点２に記載の仕切構造体。
＜観点４＞
前記空気供給手段が、空気中の酸素濃度を高める酸素濃縮手段を有することを特徴とする観点２又は３に記載の仕切構造体。
＜観点５＞
前記側壁が、人が通過できる開口を有し、
前記仕切構造体が、前記開口から前記仕切構造体への外気の進入を抑止する閉鎖手段を更に有することを特徴とする観点１〜４のいずれか一項に記載の仕切構造体。
＜観点６＞
前記仕切構造体から空気を排出するための排気手段を更に有することを特徴とする観点１に記載の仕切構造体。
＜観点７＞
遊技機設置島の正面の島通路の両側を覆う側壁と、
前記島通路の上側を覆う上壁を有する仕切構造体と、
前記仕切構造体に空気を供給するための空気供給手段を有することを特徴とする分煙装置。
【００１０】
図１は、一般的な遊技店舗における店内の様子を示す。
【００１１】
本願において、「遊技店舗」は、複数の遊技機が設置される店舗を言う。「遊技機」は、パチンコ機（弾球遊技機）、スロットマシン（回動式遊技機）、スマートボール等を含む。
【００１２】
図１に示すように、遊技店舗１は、複数の遊技機設置島２（２Ａ，２Ｂ）を有する。
【００１３】
本願において、「遊技機設置島」は、遊技機を配置するための構造体を意味する。図示の遊技機設置島２Ａ，２Ｂは、複数の遊技機３を有する。図では、遊技機３がパチンコ台である場合が示されている。
【００１４】
遊技機設置島２Ａ，２Ｂが有する遊技機３の台数は任意である。例えば、遊技機設置島２Ａは、両面にそれぞれ４台で合計８台の遊技機３（図１では、手前側の４台のみが見えている）が設置されている。遊技機設置島２Ｂは、片面に４台の遊技機３が設置されている（反対側の面には、遊技機３は設置されていない）。本願では、両面に遊技機３が設置されたタイプのものを、遊技機設置島２Ａ、片面にのみ遊技機３が設置されたタイプのものを遊技機設置島２Ｂ、両者を区別する必要がないときは、遊技機設置島２等と表記する。
【００１５】
「遊技機設置島」は、一般に、遊技機３を設置するための外枠４を有する。外枠４は、木材、金属、プラスチック等で構成され得る。外枠４には、遊技機３の他に、情報を表示するための表示装置５や、その他の付属機器（例えば、貸玉装置、網棚、灰皿等）が取り付けられている場合がある。
【００１６】
図２は、遊技店舗１内における遊技機設置島２の配列の例を示す。図２（Ａ）では、遊技機設置島２Ａのみが設置されている。図２（Ｂ）では、遊技店舗１の中央付近に１又は複数の遊技機設置島２Ｂが配置されるとともに、壁６に沿って遊技機設置島２Ｂが設置されている。
【００１７】
本願において、「島通路」は、遊技機設置島の正面に位置する通路を意味する。一態様では、「島通路」は、２つの遊技機設置島の間の通路であり得る。他の態様では、「島通路」は、遊技機設置島と遊技店舗の壁の間の通路であり得る。「通路」は、人が移動したり、遊技機３を使って遊技を行ったりできる空間を意味する。
【００１８】
図２では、島通路７を破線で示す。図２（Ａ）のタイプの遊技店舗１では、隣接する２つの遊技機設置島２Ａの間に島通路７が形成されるとともに、遊技機設置島２Ａと壁６の間に島通路７が形成されている。図２（Ｂ）のタイプの遊技店舗１では、隣接する２つの遊技機設置島２の間に島通路７が形成されている。利用者が着席して遊技ができるように、島通路７に椅子８が配置され得る。図１，２の例では、椅子８は、各遊技機３の前に配置されている。
【００１９】
観点１の発明は、島通路の出入口側を覆う側壁と、島通路の上側を覆う上壁を有する。島通路の左右は、遊技機設置島（又は壁）により覆われている。よって、仕切構造体により、仕切構造体の内部と外部を仕切ることができる。観点１の記載から明らかな通り、側壁及び上壁は、観点１の発明の構成要件であるが、遊技機設置島は、観点１の発明の構成要件ではない。
【００２０】
仕切構造体は、遊技機設置島又は店舗壁との境界部分が、遊技機設置島又は店舗壁の形状と相補的な形状を有し得る。これにより、仕切構造体の気密性を高めることができる。好ましい第１の態様では、島通路は、隣接する２つの遊技機設置島の間の通路であり、仕切構造体の側壁は、遊技機設置島の側面に対して相補的な形状を有する。好ましい第２の態様では、島通路は、遊技機設置島と店舗壁の間の通路であり、仕切構造体の側壁は、遊技機設置島の側面に対して相補的な形状の部分と、店舗壁に対して相補的な形状の部分を有する。第１及び第２の態様では、仕切構造体の上壁は、遊技機設置島の上面に対して相補的な形状を有し得る。上壁は、天井部及び連結部を有し得る。側壁、天井部及び連結部は、板状の部材で構成し得る。仕切構造体の全体、或いは、側壁及び天井部を透明の部材で構成し得る。これにより、利用者に開放感を与える、セキュリティを高める等の効果を達成し得る。
【００２１】
観点２，７の発明における空気供給手段として、コンプレッサ、ターボ圧縮機、遠心式圧縮機、レシプロ圧縮機等を使用することが好ましい。好ましい実施形態では、観点２，７の発明における仕切構造体内の空間は、禁煙スペースとして使用される。
【００２２】
観点３の発明におけるフィルタ手段として、ＨＥＰＡフィルタ、ＵＬＰＡフィルタ、プラズマ式フィルタ、紫外線フィルタ、光触媒式フィルタ等を使用することが好ましい。フィルタ手段は、ニコチン、タール、塵埃、ハウスダスト等を除去することが好ましい。
【００２３】
観点４の発明における酸素濃縮手段として、酸素富化膜、中空糸、ゼオライト等を使用することが好ましい。酸素濃縮手段は、２０〜２５％、好ましくは、２１〜２４％、特に好ましくは、２２〜２３％の酸素濃度（体積％）の空気を供給し得る。
【００２４】
観点５の発明では、島通路と外部の間での人の往来の便を確保しつつ、仕切構造体内への外気の進入、又は、仕切構造体内から外部への空気の漏出を抑止し得る。閉鎖手段は、ドア、カーテン、エアカーテン等を使用し得る。
【００２５】
好ましい実施形態では、観点６の発明における仕切構造体内の空間は、喫煙スペースとして使用される。
【図面の簡単な説明】
【００２６】
【図１】図１は、一般的な遊技店舗における店内の様子を示す。
【図２】図２は、遊技店舗１内における遊技機設置島２の配列の例を示す。
【図３】図３は、本発明の一実施形態に従う分煙装置１０及び仕切構造体２０の斜視図である。
【図４】図４は、本発明の一実施形態に従う分煙装置１０及び仕切構造体２０の平面図である。
【図５】図５は、例示的な空気供給装置５０を示す。
【図６】図６は、本発明の他の実施形態に従う分煙装置１０Ａ及び仕切構造体２０Ａを示す。
【図７】図７は、本発明の他の実施形態に従う仕切構造体２０Ｂを示す。
【発明を実施するための形態】
【００２７】
以下、本発明の実施形態に係る分煙装置（仕切装置）１０及び仕切構造体２０について、図面を参照して説明する。
【００２８】
図３，４は、分煙装置１０及び仕切構造体２０の斜視図及び平面図である。図示のように、分煙装置１０は、仕切構造体２０及び空気供給装置５０を有する。
【００２９】
仕切構造体２０は、２つの遊技機設置島２の間の島通路７を外部の空間から仕切る構造体である。具体的には、仕切構造体２０は、側壁３０及び上壁４０を有する。
【００３０】
側壁３０は、島通路７の出入口側（島通路７の両端付近）を覆う（或いは、塞ぐ）部材である。側壁３０は、遊技機設置島２との間に大きな隙間が形成されないように、遊技機設置島２に対して相補的な形状を有し得る。図示の例では、遊技機設置島２が直線的な外形（矩形状の外形）を有するため、側壁３０の形状は、概略長方形である。
【００３１】
側壁３０は、開口３１を有する。開口３１の大きさ及び形状は任意である。開口３１は、人が出入りできる大きさ及び形状であることが好ましい。開口３１は、人の出入りを許容するとともに、外気の進入を抑止するためのドア３２を有し得る。ドア３２は、例えば、側壁３０にヒンジ３３を介して回動可能に設置され得る。ドア３２は、ドア３２を閉じる方向に付勢するための付勢手段を有し得る。人の出入りを許容するとともに、外気の進入を抑止する手段として、ドア３２の代わりに、エアカーテンを設けても良い。エアカーテンは、例えば、上壁４０に取り付け得る。
【００３２】
上壁４０は、島通路７の上側を覆う（或いは、塞ぐ）部材である。図示の上壁４０は、連結部４１及び天井部４２を有する。
【００３３】
連結部４１は、遊技機設置島２の上部に立設される部材である。連結部４１と遊技機設置島２の隙間は小さいことが望ましい。そのため、連結部４１は、遊技機設置島２の上部に対して相補的な形状を有し得る。連結部４１は、後述する配管７０を接続するための１又は複数の孔を有し得る。
【００３４】
図示の天井部４２は、側壁３０及び連結部４１の上部に連結する態様で設置されている。天井部４２と側壁３０及び／又は連結部４１の間の隙間は小さいことが望ましい。
【００３５】
側壁３０、連結部４１及び天井部４２は、板状の部材で構成し得る。側壁３０、連結部４１及び天井部４２は、それぞれ、単一の部材で構成しても良く、複数の部材で構成しても良い。
【００３６】
仕切構造体２０（特に、側壁３０及び天井部４２）は、透明の部材で構成することが好ましい。好ましい材質は、アクリル、ポリカーボネート、ガラス等である。これにより、仕切構造体２０の内部を開放感のある空間にできる。また、外部からの仕切構造体２０内の視認性が向上し得る。不正行為の防止等のため、遊技店舗の天井等に監視カメラが設置される場合があり、その場合は、監視カメラの視界を確保できる。
【００３７】
上記のように、本実施形態の仕切構造体２０を使用することにより、島通路７の四方が封鎖される。すなわち、島通路７の出入口側（島通路７の通路方向の両側）は、側壁３０により封鎖され、島通路７の上部は上壁４０により封鎖され、島通路７の左右は、遊技機設置島２により封鎖される。これにより、島通路７は、密閉された空間になる。
【００３８】
島通路７の密閉度を高めるため、遊技機設置島２と側壁３０の隙間、遊技機設置島２と上壁４０の隙間等は小さくすることが望ましい。必要な密閉度は、仕切構造体２０の仕様（例えば、仕切構造体２０の使用目的や、後述の空気供給装置５０を使用するか否か、空気供給装置５０の出力等）により異なる。よって、必要な密閉度に応じて、各隙間をどの程度小さくするか設計すれば良い。
【００３９】
空気供給装置５０は、仕切構造体２０に空気を供給することができる装置である。図５は、例示的な空気供給装置５０を示す。図示の空気供給装置５０は、濾過部６０及び圧縮部６３を有する。
【００４０】
濾過部６０は、集塵フィルタ６１とファン６２から構成され得る。この濾過部６０では、ファン６２が仕切構造体２０の外部から空気を吸入し、集塵フィルタ６１により空気中の汚れを吸着する。濾過部６０は、ニコチン、タール、塵埃、ハウスダスト等を除去し得る。好ましい集塵フィルタ６１は、ＨＥＰＡフィルタ、ＵＬＰＡフィルタ、プラズマ式フィルタ、紫外線フィルタ、光触媒式フィルタ等である。
【００４１】
濾過部６０は、省略しても構わない。例えば、屋外から空気を吸入する空気供給装置５０の場合、濾過部６０を省略し得る。
【００４２】
圧縮部６３は、空気（好ましくは、大気圧以上の空気）を仕切構造体２０に供給する装置である。圧縮部６３は、コンプレッサ、ターボ圧縮機、遠心式圧縮機、レシプロ圧縮機等を使用できる。
【００４３】
配管７０は、空気供給装置５０と仕切構造体２０を連絡する。
【００４４】
仕切構造体２０及び空気供給装置５０を有する分煙装置１０では、空気供給装置５０から供給される空気の圧力により、外気（特に、タバコの煙）が仕切構造体２０内に進入することが防止される。よって、仕切構造体２０内の空間（島通路７）では、非喫煙者が受動喫煙を懸念することなく快適に過ごすことができる。仕切構造体２０内の空間（島通路７）は、禁煙ルームとして使用することができる。仕切構造体２０は、人が往来するための開口３１を有するが、空気供給装置５０からの空気の供給量を調整することにより、又は、常に空気を供給することにより、開口２１からの空気の進入を小さくできる。なお、付勢手段を設けることにより、ドア３２が開けっ放しになることは防止できる。
【００４５】
好ましい実施形態では、空気供給装置５０は、更に、酸素濃縮機６４を有し得る。酸素濃縮機６４は、例えば、窒素よりも酸素を多く透過させる酸素富化膜や、中空糸や、窒素を吸着する性質のあるゼオライトで構成される。
【００４６】
酸素濃縮機６４を有する場合、仕切構造体２０内の酸素濃度を高めることができる。これにより、快適で過ごしやすい環境を提供できる。また、酸素濃度を高くすることにより、健康増進等の効果も期待し得る。
【００４７】
仕切構造体２０の密閉度を高めることにより、仕切構造体２０内を大気圧以上（例えば、１．１〜１．５気圧）にすることも考えられる。気圧を高めることにより、健康増進等の効果も期待し得る。
【００４８】
仕切構造体２０は、適宜の位置において、ボルト等の固定具を用いて、遊技機設置島２及び／又は壁６に固定することができる。
【００４９】
以上、好ましい実施形態に係る分煙装置１０及び仕切構造体２０を説明したが、本発明は、特許請求の範囲内において、種々の改変が可能である。
【００５０】
例えば、上記の実施形態では、空気供給装置５０から仕切構造体２０に空気が供給される分煙装置１０を例として説明したが、仕切構造体２０内の空気を空気供給装置５０により吸引して外部に放出する分煙装置１０とすることも可能である。この場合、空気供給装置５０は、仕切構造体２０内の空気を屋外に放出し、或いは、空気の汚れを濾過してから店内の空間に放出することが好ましい。この分煙装置１０では、仕切構造体２０内の空間は、喫煙ルームとして使用することが可能であり、仕切構造体２０の外にいる人の受動喫煙を防止できる。
【００５１】
上記実施形態における連結部４１は省略可能である。この場合、配管７０は、天井部４２又は側壁３０に取り付けることができる。
【００５２】
上記実施形態では、２つの遊技機設置島２の間の島通路７に適用される仕切構造体２０を例として説明したが、遊技機設置島２と壁６の間の島通路７にも本発明は同様に適用可能である。図６は、遊技機設置島２と壁６の間の島通路７に設置される例示的な分煙装置１０Ａ及び仕切構造体２０Ａを示す。図６の分煙装置１０Ａ及び仕切構造体２０Ａは、側壁３０及び天井部４２の壁６側を、壁６と相補的な形状（図示の例では、直線的な形状）にすれば良い点を除いて、分煙装置１０及び仕切構造体２０と同様の構成を有する。
【００５３】
上記実施形態では、仕切構造体２０と遊技機設置島２の間の隙間を小さくするために、仕切構造体２０（側壁３０や連結部４１等）が遊技機設置島２と相補的な形状を有する場合を説明した。図７は、他の態様の仕切構造体２０Ｂを示す。図７（Ａ）は、仕切構造体２０Ｂの正面図であり、図７（Ｂ）は、仕切構造体２０Ｂの側面図である。
【００５４】
図示のように、仕切構造体２０Ｂでは、幅寸法（図７（Ａ）の左右方向）の大きい側壁３０が使用されており、側壁３０と遊技機設置島２が重なり合った部分３４が形成されている。部分３４において、側壁３０と遊技機設置島２を接触させる（又は、張り合わせる）ことにより、側壁３０と遊技機設置島２の隙間を小さくすることが容易になる。また、仕切構造体２０Ｂでは、高さ寸法の大きい連結部４１が使用されており、連結部４１と遊技機設置島２が重なり合った部分４３が形成されている。部分４３において、連結部４１と遊技機設置島２を接触させる（又は、張り合わせる）ことにより、連結部４１と遊技機設置島２の隙間を小さくすることが容易になる。
【００５５】
上記各実施形態の分煙装置及び仕切構造体は、簡易な構成故に、機械入替時や店休日に短時間に設置することが可能である。
【符号の説明】
【００５６】
１・・・遊技店舗
２，２Ａ，２Ｂ・・・遊技機設置島
３・・・遊技機
４・・・外枠
５・・・表示装置
６・・・壁
７・・・島通路
８・・・椅子
１０，１０Ａ・・・分煙装置
２０，２０Ａ・・・仕切構造体
３０・・・側壁
３１・・・開口
３２・・・ドア
３３・・・ヒンジ
４０・・・上壁
４１・・・連結部
４２・・・天井部
５０・・・空気供給装置
６０・・・濾過部
６１・・・集塵フィルタ
６２・・・ファン
６３・・・圧縮部
６４・・・酸素濃縮機
７０・・・配管
【図１】
2016022037.tif 000003
【図２】
2016022037.tif 000004
【図３】
2016022037.tif 000005
【図４】
2016022037.tif 000006
【図５】
2016022037.tif 000007
【図６】
2016022037.tif 000008
【図７】
2016022037.tif 000009